(57)【特許請求の範囲】
【請求項１】
面発光光源、及び、前記面発光光源の発光面側と反対側に配置された磁性部を具備した面発光モジュールと、磁気抵抗に応じた起磁力により前記磁性部を吸着する磁気吸着部、及び、前記面発光光源に給電するための給電部を具備した給電ユニットとを備え、
前記面発光光源は、透明基板の一面に透明電極、発光層及び非透過電極を積層して成り、前記透明電極及び前記非透過電極がそれぞれ磁性体で形成され、前記透明電極及び前記非透過電極において前記給電部と電気的に接続される引き出し部が前記磁性部として兼用されることを特徴とする面発光照明装置。
【請求項２】
前記磁気吸着部は、電磁石であることを特徴とする請求項１記載の面発光照明装置。
【発明の詳細な説明】
【技術分野】
【０００１】
本発明は、面発光照明装置に関するものである。
【背景技術】
【０００２】
従来より提供されている面発光光源を壁面などに固定する場合、機械的に固定（例えば、壁面に取り付けた枠にねじ固定、又は、接着材を用いた接着固定など）するのが一般的である（例えば特許文献１参照）。この固定方法では、コ字型に形成された一対の防振部材が接着材を用いて固定基体に取り付けられ、各防振部材の対向する凹部内に面発光光源の周縁部をそれぞれ差し込むことで、面発光光源が両防振部材に挟持され、面発光光源が固定基体に固定される。
【特許文献１】特開２０００−２６８９５３号公報（段落［００１２］−段落［００１８］、及び、第１図−第２図）
【発明の開示】
【発明が解決しようとする課題】
【０００３】
上述の特許文献１に示した固定方法やねじ固定の場合、一度固定すると面発光光源の位置調整が困難であり、特に大型の面発光モジュールや拡張性のある面発光モジュールを用いた場合には、柔軟性に欠けるという問題があった。
【０００４】
本発明は上記問題点に鑑みて為されたものであり、その目的とするところは、面発光モジュールの位置調整を容易にした面発光照明装置を提供することにある。
【課題を解決するための手段】
【０００５】
請求項１の発明は、面発光光源、及び、面発光光源の発光面側と反対側に配置された磁性部を具備した面発光モジュールと、磁気抵抗に応じた起磁力により磁性部を吸着する磁気吸着部、及び、面発光光源に給電するための給電部を具備した給電ユニットとを備え、面発光光源は、透明基板の一面に透明電極、発光層及び非透過電極を積層して成り、透明電極及び非透過電極がそれぞれ磁性体で形成され、透明電極及び非透過電極において給電部と電気的に接続される引き出し部が磁性部として兼用されることを特徴とする。
【０００７】
請求項２の発明は、磁気吸着部は、電磁石であることを特徴とする。
【発明の効果】
【０００８】
請求項１の発明によれば、面発光モジュール側に設けた磁性部を、給電ユニット側に設けた磁気吸着部の起磁力により吸着させることによって面発光モジュールを固定しているので、面発光モジュールを容易に着脱することができ、且つ、面発光モジュールの位置調整を容易に行うことができるという効果がある。
【０００９】
また、面発光光源を形成する透明電極及び非透過電極の引き出し部が磁性部として兼用されるので、磁性部を別に設けなくてもよく、部品点数を削減することができるという効果がある。
【００１０】
請求項２の発明によれば、磁気吸着部を電磁石により構成しているので、面発光モジュールを固定する場合には電磁石のコイルに電源を供給することによって強固に固定することができるとともに、面発光モジュールを取り外す場合にはコイルへの電源供給をオフすることによって容易に取り外すことができ、さらに面発光モジュールの位置調整も容易に行うことができるという効果がある。
【発明を実施するための最良の形態】
【００１１】
本発明の実施形態を図１〜図７に基づいて説明する。本実施形態の面発光照明装置は、例えば壁面などに取り付けられ、室内などを照明するために用いられる。
【００１２】
この面発光照明装置は、図１及び図２に示すように、略矩形平面状の面発光光源１、及び、面発光光源１の発光面側と反対側（図１中の右側）に配置された磁性部２を具備した面発光モジュールＡと、例えば電磁石からなり磁気抵抗に応じた起磁力により磁性部２を吸着する磁気吸着部３、及び、面発光光源１に給電するための給電部４を具備した給電ユニットＢとを備えている。尚、図１及び図２は、面発光光源１への給電状態を模式的に示したものであり、磁気吸着部３への給電回路は省略している。
【００１３】
面発光光源１は、例えば所謂有機ＥＬ素子であって、透光性を有する絶縁材料（例えば、ガラスやＰＥＴなど）からなる透明基板１０を有し、透明基板１０の一面（図１中の右側面）には、例えばインジウム−スズ酸化物（ＩＴＯ）のような透光性を有する導電材料からなる透明電極（陽極電極）１１、光を発生させる有機発光層１２、及び、例えば銀やアルミニウムなどの金属材料からなる非透過電極（陰極電極）１３が順次積層されている。ここに、図１中の透明基板１０の左側の面により光取り出し面が構成されている。
【００１４】
また、透明基板１０には、例えばシリコーン樹脂などからなる封止材１４が取り付けられ、透明電極１１、有機発光層１２及び非透過電極１３を封止しており、この封止材１４として例えばフィルム状のものを用いた場合には、図６に示すような曲面状の給電ユニットＢに対しても容易に取付けることができる。さらに、透明電極１１及び非透過電極１３は、図１に示すように一方の端部がそれぞれ封止材１４により封止されていない部位まで延設されており、給電部４と電気的に接続される接続部（引き出し部）１１ａ、１３ａを構成している（図１及び図４参照）。尚、これらの接続部１１ａ、１３ａは、透明基板１０の短手方向（図２中の左右方向）の全幅に渡って設けられている。
【００１５】
透明電極１１の接続部１１ａ及び非透過電極１３の接続部１３ａの表面（図１中の右面）には、例えば鉄やニッケルやコバルトなどの磁性体が全体にメッキされ、磁性部２が形成されている。この磁性部２は、給電ユニットＢの幅寸法（図１中の上下方向の寸法）よりも大きな幅寸法に形成されており、給電ユニットＢに対して上下方向に位置調整が行えるようになっている。尚、鉄などの接続部１１ａ、１３ａへの取着方法はメッキに限定されるものではなく、蒸着や塗装や貼付などであってもよい。
【００１６】
この面発光モジュールＡでは、直流電源ＤＣから透明電極１１及び非透過電極１３を介して面発光光源１に給電されると、透明電極１１から放出された正孔及び非透過電極１３から放出された電子が有機発光層１２に注入され、有機発光層１２内で結合する。この結合が起こった際のエネルギーで有機発光層１２内の周りの有機分子が励起され、これらの有機分子が励起状態から再び基底状態に戻る際に光を発生する。有機発光層１２内で発生した光は、非透過電極（金属電極）１３を反射板として透明電極１１及び透明基板１０を透過して被照射面に照射される。
【００１７】
給電ユニットＢは、図５に示すように、例えば樹脂などの絶縁材料からなる長尺の角筒状のケース５を有し、ケース５内には磁気吸着部３が収納されており、また面発光光源１に給電するための給電部４が一部をケース５の前面（図５中の左側）に露出させた状態で取り付けられている。尚、本実施形態の面発光照明装置では、図１に示すように上記給電ユニットＢが２個１組として用いられる。
【００１８】
各磁気吸着部３は、図５に示すように、長尺角柱状の鉄芯３１と、鉄心３１の長手方向（図５中の前後方向）に沿って巻装されたコイル３２とで構成された電磁石であり、各コイル３２の両端は、図３に示すように直流電源ＤＣの両端にそれぞれ接続され、コイル３２の一端と直流電源ＤＣの一端との間には、各コイル３２への電源供給をオン／オフするためのスイッチ６ｂが接続されている。而して、このスイッチ６ｂをオンすると、各コイル３２に直流電源ＤＣが供給されて各コイル３２が磁化し、逆にスイッチ６ｂをオフすると、各コイル３２への電源供給がオフされて各コイル３２が非磁化される。
【００１９】
各給電部４は、図５に示すように、例えば導電性の高い銅などの導電材料により長尺角柱状に形成され、一方（図１中の上側）の給電部４は、図３に示すように直流電源ＤＣのプラス極に接続され、他方（図１中の下側）の給電部４は直流電源ＤＣのマイナス極に接続される。また、一方の給電部４と直流電源ＤＣのプラス極との間（他方の給電部４と直流電源ＤＣのマイナス極との間でもよい）には、各給電部４への電源供給をオン／オフするためのスイッチ６ａが接続されている。ここにおいて、スイッチ６ａ、６ｂは、図６に示すように電源装置６の前面に設けられており、各給電部４及び各コイル３２には電源線８を介して直流電源ＤＣが供給されるようになっている。
【００２０】
ここで、この面発光照明装置の施工方法について図６に基づいて説明する。まず、２個１組の給電ユニットＢ、Ｂを所定の間隔（面発光光源１の上下方向の寸法）を空けて配置し、各給電ユニットＢをそれぞれ固定ねじ７を用いて壁面などに固定する。次に、面発光モジュールＡを、接続部１１ａ側を上に、接続部１３ａ側を下にした状態で磁性部２側から給電ユニットＢ、Ｂに近づけて、面発光モジュールＡの取付位置を調整する。その後、電源装置６のスイッチ６ｂをオンし、各磁気吸着部３のコイル３２にそれぞれ直流電源ＤＣを供給して各磁気吸着部３を磁化させると、各磁気吸着部３の起磁力により面発光モジュールＡの各磁性部２が対応する磁気吸着部３に吸着され、面発光モジュールＡが各給電ユニットＢに強固に取り付けられる。尚、この状態において、面発光光源１の透明電極１１及び非透過電極１３は、各磁性部２を介してそれぞれ対応する給電部４と電気的に接続される。
【００２１】
逆に、面発光モジュールＡを給電ユニットＢ、Ｂから取り外す場合には、電源装置６のスイッチ６ｂをオフし、各磁気吸着部３のコイル３２への電源供給をオフすることによって、各磁気吸着部３の起磁力が失われるので、面発光モジュールＡを容易に取り外すことができ、また各磁気吸着部３のコイル３２への電源供給をオン／オフすることによって、面発光モジュールＡの位置調整を容易に行うことができる。
【００２２】
ここで、本実施形態では、磁気吸着部３として電磁石を用いた場合を例に説明したが、例えばフェライト磁石やアルニコ磁石などの永久磁石、フェライト磁石などの磁石を砕いてゴムなどに練りこんだボンド磁石と呼ばれる複合磁石であってもよい。この場合、電磁石と同様に面発光モジュールＡを容易に着脱できるとともに、面発光モジュールＡの位置調整を容易に行うことができ、またコイルへの給電装置が不要になるので、部品点数を削減することもできる。また、磁気吸着部３として永久磁石や複合磁石を用いた場合には、上記永久磁石や複合磁石に給電部４を一体的に設けてもよく、この場合磁気吸着部３や給電部４を収納するケースが不要になるので、部品点数をさらに削減することができる。
【００２３】
さらに、図７に示すように面発光光源１を構成する透明電極１１及び非透過電極１３を磁性体で形成し、各電極の接続部１１ａ、１３ａ（図７では接続部１１ａのみ図示）が磁性部を兼用するように構成してもよい。この場合、磁性部を別に設けなくてもいいので、部品点数を削減することができる。
【図面の簡単な説明】
【００２４】
【図１】本実施形態の面発光照明装置の動作を説明する説明図である。
【図２】同上の面発光照明装置の分解斜視図である。
【図３】同上に用いられる給電ユニットの回路図である。
【図４】同上の面発光照明装置に用いられる面発光モジュールの一部破断せる断面図である。
【図５】同上の面発光照明装置に用いられる給電ユニットの断面図である。
【図６】同上の他の面発光照明装置の分解斜視図である。
【図７】同上の他の面発光照明装置に用いられる面発光モジュールの一部破断せる断面図である。
【符号の説明】
【００２５】
１  面発光光源
２  磁性部
３  磁気吸着部
４  給電部
Ａ  面発光モジュール
Ｂ  給電ユニット
【図１】
0004989394.tif 000002
【図２】
0004989394.tif 000003
【図３】
0004989394.tif 000004
【図４】
0004989394.tif 000005
【図５】
0004989394.tif 000006
【図６】
0004989394.tif 000007
【図７】
0004989394.tif 000008